(57)【特許請求の範囲】
【請求項１】
熱交換器および送風機が内蔵されたキャビネットと：前記キャビネットに結合されて室内空気が吸入および吐出されるフロントパネルと：前記フロントパネルに設けられた左右移動ルーバーに付着されて前記室内の赤外線量を測定する赤外線探知センサと：前記赤外線探知センサから探知された赤外線量およびその分布にしたがって空気調和機の吐出を制御するマイコンと：前記赤外線探知センサが探知した室内の複数空間別赤外線量に関するデータが貯蔵されるメモリ部と：を含めて構成され、前記マイコンは、前記メモリ部に貯蔵された各空間別赤外線量と現在測定される各空間別赤外線量を比較し、それに基づいて空気調和機の吐出を制御することを特徴とする赤外線量に基づいて制御される空気調和機。
【請求項２】
空気調和機駆動中に、該空気調和機のフロントパネルに設けられた左右移動ルーバーに付着された赤外線探知センサにより室内の複数空間別の赤外線量が測定される第１段階と：
前記第１段階で測定された赤外線量に関する情報が各空間別に貯蔵される第２段階と：
前記第２段階で貯蔵された赤外線量に関する情報に基づいて空気調和機の吐出が制御される第３段階と：を含めてなることを特徴とする赤外線量に基づいて制御される空気調和機の動作方法。
【請求項３】
前記第３段階は、前記第２段階で貯蔵された情報に基づいて各空間別赤外線量の大小を相互比較する過程と；
前記比較過程で赤外線量が大きいと判断された空間に向かって空気調和機の吐出量を増加させる過程と；を含めてなることを特徴とする請求項２記載の赤外線量に基づいて制御される空気調和機の動作方法。
【請求項４】
前記第３段階は、前記第２段階で貯蔵された情報に基づいて各空間別赤外線量の大小を相互比較する過程と；
前記比較過程で赤外線量が大きいと判断された空間に向かって空気調和機の吐出方向を調整する過程と；を含めてなることを特徴とする請求項２記載の赤外線量に基づいて制御される空気調和機の動作方法。
【請求項５】
前記第３段階は、現在測定された各空間別赤外線量と既存に貯蔵された各空間別赤外線量の大小を比較する過程と；
前記比較過程で現在測定された赤外線量が既存に測定された赤外線量より大きいと判断される場合、空気調和機の吐出量を増加し、少ないと判断される場合は空気調和機の吐出量を減少させる過程と；を含めてなることを特徴とする請求項２記載の赤外線量に基づいて制御される空気調和機の動作方法。
【発明の詳細な説明】
【０００１】
【発明の属する技術分野】
本発明は、赤外線量に基づいて制御される空気調和機およびその動作方法に関し、特に、室内に空気調和のために据付けられる空気調和機が赤外線量を測定することによって在室者数とそれらの位置変化にしたがって自動に制御されるようにする、赤外線量に基づいて制御される空気調和機およびその動作方法に関する。
【０００２】
【従来の技術】
最近、大規模の食堂や教室などで空気調和のための床置き型空気調和機の据付が急増している。前記床置き型空気調和機は室内の一空間に位置して室内の空気が調和されるように冷／暖房の機能を行う。しかし、この場合、床置き型空気調和機は特定空間に据付けられているため、大規模の空間の室内空気を均一且つ快適に調和させられないという問題点があった。
【０００３】
例えば、室内を冷房させるために室内にエアコンが据付けられた場合、図６に示すように、空気調和機に付着された温度計を用いて室内温度を測定（Ｓ１）し、前記測定された室内温度を使用者が予め設定しておいた基準温度と比較（Ｓ２）し、前記室内温度が基準温度より低い場合は吐出量を減少（Ｓ３）させ、室内温度が基準温度より高い場合は吐出量を増加（Ｓ４）させる。
【０００４】
したがって、図７に示すように、空気調和機１が室内の特定空間ａに据付けられた場合、前記空気調和機１は前記特定空間ａの室内温度だけを測定し、これを空気調和機に設定された基準温度と比較し、この比較結果に基づいて駆動方式を制御するようになる。例えば、前記床置き型空気調和機１が冷房機能を行うエアコンであり、測定された室内温度が基準温度より低いと、前記床置き型空気調和機は冷房機能を中止し、測定された室内温度が基準温度より高い場合は、冷房機能を強化するようになる。つまり、特定空間ａの温度だけに基づいてその冷房機能が制御され、他の空間ｂ、ｃ、ｄの室内温度は認知できないため、室内空気を均一に調和させることができなかった。
【０００５】
また、在室者数の増加に伴って室内温度も増加することになる。しかし、従来の床置き型空気調和機は、前述のように特定空間ａの室内温度だけを認知し、それに基づいて制御されるため、仮に、前記在室者がａ空間でないｂ或いはｃ空間で増加する場合、これを認知できず室内温度を続けて上昇させてしまい、空気調和機が作動されているにも関わらず使用者は快適さを感じられなくなる。
【０００６】
【発明が解決しようとする課題】
本発明は、前記問題点に鑑みてなされたものであり、室内の空気調和のために据付けられる空気調和機に赤外線探知センサを付着し、前記赤外線探知センサによって探知された赤外線量に基づいて空気調和機の吐出を制御することによって在室者数などの変化に対応して有効且つ快適に空気調和可能な、赤外線量に基づいて制御される空気調和機およびその動作方法を提供することにその目的がある。
【０００７】
【課題を解決するための手段】
前記課題を解決すべく本発明による、赤外線量に基づいて制御される空気調和機の特徴によれば、熱交換器および送風機が内蔵されたキャビネットと、前記キャビネットに結合されて室内空気が吸入および吐出されるフロントパネルと、前記フロントパネルに設けられた左右移動ルーバーに付着されて前記室内の赤外線量を測定する赤外線探知センサと、前記赤外線探知センサから探知された赤外線量およびその分布にしたがって空気調和機の吐出を制御するマイコンと、前記赤外線探知センサが探知した室内の複数空間別赤外線量に関するデータが貯蔵されるメモリ部と、を含めて構成され、前記マイコンは、前記メモリ部に貯蔵された各空間別赤外線量と現在測定される各空間別赤外線量を比較し、それに基づいて空気調和機の吐出を制御することを特徴とする。
【０００８】
また、本発明による赤外線量に基づいて制御される空気調和機動作方法の特徴によれば、空気調和機駆動中に室内複数空間の赤外線量が測定される第１段階と、前記第１段階で測定された赤外線量に関する情報が各空間別に貯蔵される第２段階と、前記第２段階で貯蔵された赤外線量に関する情報に基づいて空気調和機の吐出が制御される第３段階と、からなる。
【０００９】
【発明の実施の形態】
以下、本発明の好ましい実施形態を添付図面を参照して詳細に説明する。
本発明の一実施形態による床置き型空気調和機１００は、図１に示すように、熱交換器および送風機が内蔵されて吸入された空気を熱交換し、吐出させるキャビネット１０と、前記キャビネット１０に結合され、前記キャビネット１０に空気を吸入させるための吸入口と前記キャビネット１０で熱交換された空気を吐出させるための吐出口が備えられるフロントパネル２０と、前記フロントパネル２０の一側、つまり前記フロントパネル２０に取り付けられる左右移動ルーバー２１に付着される赤外線探知センサ３０と、前記赤外線探知センサ３０から探知された室内の複数空間の赤外線量に基づいて前記空気調和機１００の吐出を制御するマイコンと、から構成される。
【００１０】
特に、前記空気調和機１００の左右回転ルーバー２１に付着された赤外線探知センサ３０は、前記左右回転ルーバー２１とともに左右に移動しながら前記室内の複数空間の赤外線量を測定する。前記マイコンは、前記赤外線探知センサ３０から測定された赤外線量に基づいて室内の複数空間に吐出される風量と風向を調節する。
図２は本発明による床置き型空気調和機１００の内部構成を示す図である。
【００１１】
図２に示すように、本発明による床置き型空気調和機１００は、左右回転ルーバーに付着されて前記空気調和機１００の駆動とともに室内の複数空間の赤外線量を測定する赤外線探知センサ３０と、前記赤外線探知センサ３０から探知された複数空間の赤外線量に関するデータが各空間別に貯蔵されるメモリ部４０と、前記赤外線探知センサ３０から現在測定される赤外線量と前記メモリ部４０に貯蔵された既存の赤外線量を相互比較し、それに基づいて空気調和機の吐出される風量と風向などを制御できるように左右回転ルーバーの駆動モータＭと連結されたマイコン５０と、前記マイコン５０によってその動作が制御される警報器６０と、から構成される。
【００１２】
特に、前記マイコン５０は、前記赤外線探知センサ３０から測定される赤外線量を各空間ごとに比較して吐出を制御したり、現在測定される赤外線量を既存に測定された赤外線量と比較して吐出を制御したりする。
すなわち、前記空気調和機１００が初めて駆動されると、前記左右回転ルーバー２１に付着された赤外線探知センサ３０は、図３に示すように、前記空気調和機１００の据付けられたａ空間を始めとして室内の複数空間ｂ、ｃ、ｄ、ｅ、ｆ、ｇに存在する赤外線量をスキャニングして探知する。
【００１３】
このとき、前記マイコン５０は、前記複数個所の空間別赤外線量の大小を比較し、それに基づいて前記駆動モータＭを制御し、また、必要に応じて空気調和機１００の吐出量を制御する。例えば、本発明による空気調和機が冷風機として動作する空気調和機の場合、本発明による空気調和機１００のマイコン５０は、前記複数空間のうち相対的に大きい赤外線量が測定された空間に吐出風が伝達されるように吐出方向を調節しなければならないが、このため、前記駆動モータＭを制御して前記左右回転ルーバー２１を調節する。また、必要に応じて前記マイコン５０は前記大きい赤外線量が測定された空間に向かって吐出量を増加させることもできる。
【００１４】
一方、前記探知された各空間の赤外線量は各々前記メモリ部４０に貯蔵される。その後、前記床置き型空気調和機１００が続けて動作すると、前記左右回転ルーバー２１の駆動とともに前記赤外線探知センサ３０は前記メモリ部４０に赤外線量に関するデータが貯蔵された各空間別赤外線量を再び探知する。このとき、前記マイコン５０は前記現在探知された赤外線量と前記メモリ部４０に貯蔵された既存の赤外線量が同一か否か比較する。
【００１５】
例えば、前記ｃ空間に位置する在室者数が増加し、このｃ空間の赤外線量が増加する場合、前記赤外線探知センサ３０は前記増加した赤外線量を探知するようになる。このように前記メモリ部４０に貯蔵された既存の赤外線量より前記赤外線探知センサ３０から現在測定された赤外線量が増加すると、前記マイコン５０は吐出量を増加すると同時に、前記左右回転ルーバーを調節して前記床置き型空気調和機の吐出方向が前記ｃ空間に向かうように制御する。
【００１６】
一方、前記ｃ空間に位置する在室者数が減少した場合、前記赤外線探知センサ３０は減少した赤外線量を感知し、前記マイコン５０は、前記メモリ部４０に貯蔵された既存の赤外線量より前記赤外線探知センサ３０から現在測定された赤外線量が減少したことを感知し、吐出量を減少させる。また、前記マイコン５０は、前記左右回転ルーバー２１を調節して本発明による空気調和機の吐出方向が前記ｃ空間に向かわないように制御する。
【００１７】
さらに、前記赤外線探知センサ３０は、赤外線量を測定するに際して室内の複数空間の赤外線量を測定するため、図３の空間のうちｉ空間の赤外線量を測定することができる。前記マイコン５０は、前記赤外線探知センサ３０を通じて持続的に赤外線量が測定されることを感知する途中、前記ｉ空間で赤外線が探知されたことを感知すると、空気調和機１００に装着された警報器６０に動作信号を伝送して警報器６０を作動させる。
【００１８】
ここで、前記マイコン５０が赤外線量の存在有無を確認できる空間は前記複数空間のうち任意のいずれの空間でもあり得る。したがって、使用者が必要に応じて任意の空間を特定すると、前記マイコン５０は前記特定した空間の赤外線存在有無を確認し警報器６０を動作させることができる。
例えば、使用者は、泥坊の侵入が容易なベランダ或いは窓側の空間を前記特定空間として指定し、前記特定空間で赤外線が感知された場合、前記空気調和機１００に装着された警報器６０が動作されるようにすることができる。
【００１９】
図４は、本発明による赤外線量に基づいて制御される空気調和機の動作方法の第１実施形態を示す図である。
図４を参照すれば、まず、第１１段階（Ｓ１１）で、空気調和機の左右回転ルーバーに付着された赤外線探知センサが前記左右回転ルーバーの駆動とともに室内の複数空間の赤外線量を測定する。
第１２段階（Ｓ１２）で、前記メモリ部は前記第１１段階で測定された赤外線量に関する情報を各空間別に貯蔵する。このとき、前記赤外線量は各空間ごとに分離されて貯蔵されるため、前記マイコンは各空間別赤外線量を認知することができる。
【００２０】
第１３段階（Ｓ１３）で、前記マイコンは前記第１１段階で測定された複数空間の赤外線量の大小を比較する。
第１４段階（Ｓ１４）で、前記マイコンは前記第１３段階の比較結果に基づいて相対的に多い赤外線量が測定された空間に向かって左右回転ルーバーを調節し、必要に応じて吐出量を増加させることもできる。
一方、第１５段階（Ｓ１５）で、前記マイコンは前記第１１段階で赤外線探知センサが特定空間、例えば、ベランダ或いは窓側で赤外線を測定したか確認する。
【００２１】
仮に、前記第１５段階で前記赤外線探知センサが特定空間の赤外線を探知しなかった場合、前記マイコンは続けて前記赤外線探知センサの特定空間での赤外線測定を確認する。一方、前記第１５段階で前記赤外線探知センサが特定空間の赤外線を探知した場合、前記マイコンは第１６（Ｓ１６）段階で警報器を作動させる。
図５は、本発明による赤外線量に基づいて制御される空気調和機の動作方法の第２実施形態を示す図である。
【００２２】
図５を参照すれば、まず、第２１段階（Ｓ２１）で、空気調和機の左右回転ルーバーに付着された赤外線探知センサが前記左右回転ルーバーの駆動とともに室内の複数空間の赤外線量を測定する。
第２２段階（Ｓ２２）で、前記メモリ部は前記第２１段階で測定された赤外線量に関する情報を各空間別に貯蔵する。このとき、前記赤外線量は各空間ごとに分離されて貯蔵されるため、前記マイコンは各空間別赤外線量を認知することができる。
【００２３】
第２３段階（Ｓ２３）で、前記赤外線探知センサは前記空気調和機の駆動とともに再び前記室内の複数空間の赤外線量を測定する。
第２４段階（Ｓ２４）で、前記マイコンは前記第２３段階で現在測定される赤外線量と前記第２２段階で貯蔵された既存の赤外線量が同一か比較する。仮に、同一であると、本発明による空気調和機の制御方法は前記第２３段階に戻る。
一方、前記第２４段階で、現在測定された赤外線量と既存赤外線量が同一でないと判断されると、第２５段階（Ｓ２５）で、前記マイコンは、現在測定された赤外線量が既存赤外線量より多いか判断する。
【００２４】
前記第２５段階の判断結果、現在測定された赤外線量が既存赤外線量より多いと、第２６段階（Ｓ２６）で、前記マイコンは前記空気調和機の吐出量を増加させ、前記第２３段階で測定された赤外線量をメモリ部に貯蔵する。
一方、前記第２５段階の判断結果、現在測定された赤外線量が既存赤外線量より少ないと、第２７段階（Ｓ２７）で、前記マイコンは前記空気調和機の吐出量を減少させ、前記第２３段階で測定された赤外線量をメモリ部に貯蔵する。
【００２５】
【発明の効果】
以上のように構成される本発明の赤外線量に基づいて制御される空気調和機およびその動作方法は、室内に空気調和のために据付けられる空気調和機の左右回転ルーバーに赤外線探知センサを付着した後、前記赤外線探知センサが前記左右回転ルーバーの駆動とともに室内の複数空間の赤外線量を測定した結果を各空間別に貯蔵し、次いで、前記空気調和機駆動中に探知した室内の赤外線量を前記貯蔵された赤外線量と比較し、それに基づいて空気調和機の吐出量が調節されるようにすると同時に、前記赤外線探知センサによって測定された各空間の赤外線量を相互比較し、その大小に基づいて空気調和機の吐出方向が調節されるようにすることによって、在室者数の増減にしたがって自動的に空気調和機の吐出が制御されるようにし、使用者の快適度を向上させ得る効果がある。
【図面の簡単な説明】
【図１】本発明による床置き型空気調和機を示す図である。
【図２】本発明による床置き型空気調和機の内部構成を示すブロック図である。
【図３】本発明による床置き型空気調和機が設置された場合の室内赤外線量探知状態を示す図である。
【図４】本発明による床置き型空気調和機の動作方法の第１実施形態の流れを示す図である。
【図５】本発明による床置き型空気調和機の動作方法の第２実施形態の流れを示す図である。
【図６】従来の空気調和機の動作方法の流れを示す図である。
【図７】従来の空気調和機が設置された場合の室内温度測定状態を示す図である。
【符号の説明】
１０…キャビネット
２０…フロントパネル
２１…左右移動ルーバー
３０…赤外線探知センサ
４０…メモリ部
５０…マイコン
６０…警報器
１００…床置き型空気調和機
【図１】
0003607689.tif 000002
【図２】
0003607689.tif 000003
【図３】
0003607689.tif 000004
【図４】
0003607689.tif 000005
【図５】
0003607689.tif 000006
【図６】
0003607689.tif 000007
【図７】
0003607689.tif 000008